(57)【特許請求の範囲】
【請求項１】
１台の室外機と、複数台の室内機とを有しているセパレート型空気調和機において、前記室内機内の室内マイコンに並列に設け、かつ室内半波整流ダイオードと室内制限電流抵抗の直列回路の接続した室内通信送信フォトカプラ及び第１の室内ダイオードとＰＴＣサーミスタの直列回路の接続した室内通信受信フォトカプラと、前記室内通信送信フォトカプラと室内通信受信フォトカプラとに並列接続された室内ツェナー電圧安定用電解コンデンサーと第２の室内ダイオードの直列回路とを設けたことを特徴とした空気調和機の通信回路保護装置。
【請求項２】
１台の室外機と、複数台の室内機とを有しているセパレート型空気調和機において、前記室内機内の室内マイコンに並列に設け、かつ室内半波整流ダイオードと室内制限電流抵抗の直列回路の接続した室内通信送信フォトカプラ及び第１の室内ダイオードと直列にヒューズを設けた室内通信受信フォトカプラと、前記室内通信送信フォトカプラと室内通信受信フォトカプラとに並列接続された室内ツェナー電圧安定用電解コンデンサーと第２の室内ダイオードの直列回路とを設けたにことを特徴とした空気調和機の通信回路保護装置。
【発明の詳細な説明】
【０００１】
【発明の属する技術分野】
この発明は、セパレート型空気調和機に係り、特に、通信回路保護装置に関するものである。
【０００２】
【従来の技術】
図１０は、例えば特開平１１−１９３９５０号公報に記載された従来の空気調和機の室内外通信装置を示す電気回路図である。図において、１台の室外機１と、複数台の室内機２とを有している。そして、複数台の室内機２は、３本の接続線３を介して室外機１に対して互いに並列接続されている。前記室外機１は、商用電源１０（以下ＡＣ電源とする）の端子間に接続される半波整流直流電源回路１２と、商用電源１０の端子間に接続される室外制御用電源手段としての室外制御用直流電源１１と、室外用制御手段としての室外用マイクロコンピュータ（以下マイコンと称す）１４と、室外用マイコン１４の送信ポートに接続された室外送信用フォトカプラ１５と、室外用マイコン１４の受信ポートに接続された室外受信用フォトカプラ１６と、室外受信用フォトカプラ１６と並列接続された第１抵抗手段としてのターミネーション抵抗１７とを有している。
【０００３】
また、前記室内機２は、１対の商用電源３ａ、３ｂの間に接続された室内制御用電源手段としての制御用直流電源２１と、室内用制御手段としての室内用マイコン２２と、室内用マイコン２２の送信ポートに接続された室内送信用フォトカプラ２３と、室内用マイコン２２の受信用フォトカプラ２４と、室内送信用スォトカプラ２３のフォトトランジスタ２３ｂのコレクタ端子に直列接続された、正温度係数を有する第２抵抗手段としての過電流保護用の正温度特性サーミスタ２５とを有している。
【０００４】
次に、動作について説明する。図１１は室内機の誤配線判定処理を説明するフローチャートである。ステップＳＰ１において、室内用マイコン２２の送信ポートをＯＮ，室内送信用フォトカプラ２３の受光素子２３ｂをＯＦＦにし、ステップＳＰ２において、商用電源周波数割り込みの判定を行う。そして、商用電源周波数割込みがあると判定された場合には、ステップＳＰ３において、室内機接続線３の接続が異常であることを認識し、ステップＳＰ４において、室内用マイコン２２の送信ポートをＯＦＦ、室内送信用フォトカプラ２３の受光素子２３ｂをＯＮにし、そのまま一連の処理を終了する。逆にステップＳＰ２において商用電源周波数割込みがないと判定された場合には、ステップＳＰ５において、室内外接続線３の接続が正常であることを認識し、ステップＳＰ６において、通常のシーケンスに基づく動作を行う。
【０００５】
また、図１２は室外機の誤配線判定処理を説明したフローチャートである。ステップＳＰ１１において、室外用マイコン１４の送信ポートをＯＦＦ、室外送信用フォトカプラ１５の受光素子１５ｂをＯＦＦにし、ステップＳＰ１２において、受信データ割込みの判定を行う。そして、受信データ割込みがあると判定された場合には、ステップＳＰ１８において、室内外接続線３の接続が異常であることを認識し、再びステップＳＰ１１の処理を行う。逆に、ステップＳＰ１２において受信データ割込みがないと判定された場合には、ステップＳＰ１３において、室内機２の誤配線判定期間が経過するまでウェイト処理を行い、ステップＳＰ１４において、室外用マイコン１４の送信ポートをＯＮ、室外送信用フォトカプラ１５の受光素子１５ｂをＯＮにし、ステップＳＰ１５において、送信出力と受信入力とが互いに等しいか否かを判定する。そして、送信出力と受信入力とが互いに等しくない場合には、ステップＳＰ１８の処理を行う。逆に、ステップＳＰ１５において送信出力と受信入力とが互いに等しいと判定された場合には、ステップＳＰ１６において、室内外接続３の接続が正常であることを認識し、ステップＳＰ１７において、通常のシーケンスに基づく動作を行う。
【０００６】
【発明が解決しようとする課題】
従来の室外機から室内機へＡＣ電源を供給する空気調和機の通信回路保護装置は、据え付け時に通信線へ間違えてＡＣ電源を接続してしまうことがしばしば発生し、ＡＣ電源を供給してしまうと通信回路の保護用の正特性サーミスタの応答性によっては、室内送信用フォトカプラが破壊されてしまう可能性がある等の問題があった。
【０００７】
この発明は、上記のような課題を解消するためになされたもので、ＡＣ電源を通信回路へ供給した場合、通信回路を確実に保護できるとともに、据え付けを正しい状態に戻せば再度利用できるため、据え付けの迅速化、据え付けミスによる基板破壊の削減、基板の無償サービスパーツ出荷の低減と利益率向上を得ることが出来、サービス率の低減を図ることを目的とする。
【０００８】
【課題を解決するための手段】
この発明の空気調和機の通信回路保護装置は、１台の室外機と、複数台の室内機とを有しているセパレート型空気調和機において、前記室内機内の室内マイコンに並列に設け、かつ室内半波整流ダイオードと室内制限電流抵抗の直列回路の接続した室内通信送信フォトカプラ及び第１の室内ダイオードとＰＴＣサーミスタの直列回路を接続した室内通信受信フォトカプラと、前記室内通信送信フォトカプラと室内通信受信フォトカプラとに並列接続された室内ツェナー電圧安定用電解コンデンサーと第２の室内ダイオードの直列回路とを設けたものである。
【０００９】
また、この発明の空気調和機の通信回路保護装置は、１台の室外機と、複数台の室内機とを有しているセパレート型空気調和機において、前記室内機内の室内マイコンに並列に設け、かつ室内半波整流ダイオードと室内制限電流抵抗の直列回路の接続した室内通信送信フォトカプラ及び第１の室内ダイオードと直列にヒューズを設けた室内通信受信フォトカプラと、前記室内通信送信フォトカプラと室内通信受信フォトカプラとに並列接続された室内ツェナー電圧安定用電解コンデンサーと第２の室内ダイオードの直列回路とを設けたものである。
【００１０】
【発明の実施の形態】
実施の形態１．
以下、この発明の実施の形態１における空気調和機の通信回路保護装置を図について説明する。図１はこの発明の空気調和機の制御ブロック図である。図において、１台の室外機１と、複数台の室内機２とを有している。そして、複数台の室内機２は、室外端子台１ａと室内端子台２ａからなる端子Ｎ番、端子２番、端子３番をそれぞれ３本の第１の室内外接続線３ａ、３ｂ、３ｃを介して室外機１に対して互いに並列接続されている。前記室外機１は、商用電源１０（以下ＡＣ電源とする）の端子間に接続される室外制御用電源手段としての室外制御用直流電源１１と、室外用制御手段としての室外用マイコン１４と、室外用マイコン１４の送信ポートに接続されたフォトトランジスタ１５ｂとフォトダイオード１５ａからなる室外送信用フォトカプラ１５と、室外用マイコン１４の受信ポートに接続されたフォトトランジスタ１６ａとフォトダイオード１６ｂとからなる室外受信用フォトカプラ１６と、このフォトダイオード１６ｂと直列に室外制限電流抵抗１６ｃと室外ダイオード１６ｄの直列回路が設けられている。
【００１１】
また、前記室内機２は、３本の第１の室内外接続線３が、端子Ｎ番、端子２番、端子３番の間に接続された室内制御用電源手段としての制御用直流電源２１と、室内用制御手段としての室内用マイコン２２と、室内用マイコン２２の送信ポートに室内送信用トランジスタ２３ａを介して接続されたフォトトランジスタ２３ｂとフォトダイオード２３ｃからなる室内送信用フォトカプラ２３と、室内用マイコン２２に接続されのフォトトランジスタ２４ａとフォトダイオード２４ｂからなる室内受信用フォトカプラ２４と、室内送信用スォトカプラ２３のフォトトランジスタ２３ｂのコレクタ端子に直列接続された、室内半波整流ダイオード２３ｄと室内制限電流抵抗２３ｅの直列回路と、室内受信用フォトカプラ２４のフォトトランジスタ２４ａのコレクタ端子に直列接続された、第１の室内ダイオード２４ｃとＰＴＣサーミスタ２４ｄの直列回路と、前記室内送信用フォトカプラ２３と室内受信用フォトカプラ２４とに並列接続された室内ツェナー電圧安定用電解コンデンサ２６と第２の室内ダイオード２７の直列回路と、この室内ツェナー電圧安定用電解コンデンサ２６と並列に接続された室内ツェナーダイオード２８とを有している。
【００１２】
この実施の形態１において、通信線の接続を説明する。室外機１の室外端子台１ａと室内機２の室内端子台２ａを、第１の室内外接続線３で正しく据え付け接続し、ＡＣ電源１０を室外機１に供給すると、室外端子台１ａの端子Ｎ番と端子２番よりＡＣ電源１０が出力され、第１の室内外接続線３を伝わり、室内端子台２ａの端子Ｎ番と端子２番にＡＣ電源１０が供給され、室内機２にＡＣ電源１０供給される。供給されたＡＣ電源１０より室外機１の室外制御用電源１１で制御用電源が作り出され、室外マイコン１４が動作する。同様に、供給されたＡＣ電源１０より室内機２の室内制御用電源２１で制御用電源が作り出され、室内マイコン２２が動作する。室内マイコン２２がシリアル通信開始条件で室内機２が正常運転であり、ＡＣ電源１０の供給から３分以上経過した場合のみ、室内マイコン２２のシリアル信号送信ポートより、室内通信送信トランジスタ２３ａをＯＮ／ＯＦＦさせる信号を室内通信送信トランジスタ２３ａに送信する。送信したＯＮ／ＯＦＦ信号を室内通信送信トランジスタ２３ａが受信してＯＮ／ＯＦＦ動作を行う。室内通信送信トランジスタ２３ａがＯＮ／ＯＦＦする事によって、室内通信送信フォトカプラ２３のフォトダイオード２３ｃがＯＮ／ＯＦＦする。室内通信送信フォトカプラ２３のフォトダイオードがＯＮ／ＯＦＦする事により、室内通信送信フォトカプラ２３のフォトトランジスタがＯＮ／ＯＦＦする。室内通信送信フォトカプラ２３のフォトトランジスタがＯＮ／ＯＦＦすることにより、ＡＣ電源１０から供給された電源を室内機２の室内半波整流ダイオード２３ｄがＡＣ電源１０を半波整流する。半波整流されたＡＣ電源１０が室内通信受信フォトカプラ２３と室内通信受信フォトカプラ２４を壊さない程度の電流にするための制限抵抗である室内制限電流抵抗２３ｅを通過して、室内ツェナーダイオード２６で非絶縁の直流電源になる。直流になった電圧・電流が室内通信送信フォトカプラ２３のＯＮ／ＯＦＦによって、室内と室外の通信信号のシリアル信号になる。室内通信送信フォトカプラ２３からシリアル信号を室内通信受信フォトカプラ２４へ送信し室内通信受信フォトカプラ２４が受信後、第１の室内ダイオード２４ｃへシリアル信号を送信する。第１の室内ダイオード２４ｃが受信した後、ＰＴＣサーミスタ２４ｄへシリアル信号を送信し、ＰＴＣサーミスタ２４ｄが受信した後、室内端子台２ａの端子３番へシリアル信号を送信する。受信したシリアル信号を室内端子台２ａが、室内端子台２ａと室外機１の室外端子台１ａの端子３番に接続してある第１の室内外接続線３ｃへシリアル信号を送信し、第１の室内外接続線３ｃをシリアル信号が伝搬されて、室外機１の室外端子台１ａの端子３番にシリアル信号が受信される。
【００１３】
受信したシリアル信号を室外端子台１ａの端子３番より室外ダイオード１６ｄへ送信され、室外ダイオード１６ｄが受信して、室外制限電流抵抗１６ｃへ送信する。室外制限電流抵抗１６ｃがシリアル信号を受信した場合、室外制限電流抵抗１６ｃより室外通信受信フォトカプラ１６にシリアル信号を送信し、室外通信受信フォトカプラ１６がシリアル信号を受信した場合、一方では、室外通信受信フォトカプラ１６から室外通信送信フォトカプラ１５にシリアル信号を送信する。一方では、室外通信受信フォトカプラ１６のフォトダイオード１６ｂがＯＮ／ＯＦＦすると、室外通信受信フォトカプラ１６のフォトトランジスタ１６ａがＯＮ／ＯＦＦし、室外通信受信フォトカプラ１６のフォトトランジスタ１６ａがＯＮ／ＯＦＦするに伴って、室外マイコン１４の受信ポートにＯＮ／ＯＦＦ信号が入力される。入力されたシリアル信号を室外マイコン１４解析し、制御信号に置き換えて、制御信号として室外機１を動作させる。動作させた結果を室外マイコン１４の送信ポートから、室外機１からのシリアル信号として室外通信送信トランジスタ１５ａへＯＮ／ＯＦＦ信号を送信する。
【００１４】
次に、シリアル信号を受信した室外通信送信トランジスタ１５ａが室外通信送信フォトカプラ１５にシリアル信号を送信して、室外通信送信フォトカプラ１１０が受信した場合、室外通信送信フォトカプラ１５のフォトダイオード１５ａがＯＮ／ＯＦＦする事により、室外通信送信フォトカプラ１５のフォトトランジスタ１５ｂがＯＮ／ＯＦＦする。室外通信送信フォトカプラ１５のフォトトランジスタ１５ｂがＯＮ／ＯＦＦすることによって、室外通信送信フォトカプラ１５が室外通信受信フォトカプラ１６より受信したシリアル信号に、室外通信送信フォトカプラ１５のフォトトランジスタ１５ｂのＯＮ／ＯＦＦによりシリアル信号をＡＣ電源１０の端子Ｎ番側に同調させることが出来る。同調させた、シリアル信号を室外通信送信フォトカプラ１５から室外端子台１ａの端子Ｎ番に送信し、室外端子台１ａの端子Ｎ番がシリアル信号を受信して、室外端子台１ａと室内機１の室内端子台２ａの端子Ｎ番に接続してある第１の室内外接続線３ａに送信し、第１の室内外接続線３ａでシリアル信号が伝搬され、室内端子台２ａの端子Ｎ番が受信し、室内送信フォトカプラ２３に送信する。即ち、室内ツェナー電圧安定用電解コンデンサ２６のマイナス側（−側）がシリアル通信回路の基準グランドになり、室外機１０１からのシリアル信号のＯＮ／ＯＦＦにより室内ツェナー電圧安定用電解コンデンサ２６の基準グランドがＯＮ／ＯＦＦすることにより室内通信送信フォトカプラ２３のフォトトランジスタがＯＮ／ＯＦＦする。そして、室内通信送信フォトカプラ２３がシリアル信号を受信した後に、室内通信受信フォトカプラ２４にシリアル信号を送信して、室内通信受信フォトカプラ２４が受信する。受信したシリアル信号によって室内通信受信フォトカプラ２４のフォトダイオード２４ａがＯＮ／ＯＦＦを行うことにより、室内通信受信フォトカプラ２４のフォトダイオード２４ａがＯＮ／ＯＦＦする。室内通信受信フォトカプラ２４のフォトダイオード２４ａがＯＮ／ＯＦＦすることにより、室内マイコン２２の受信ポートがＨｉ／Ｌｏになるため、室内マイコン２２がシリアル信号を受信して解析を行い、新たなシリアル信号を室内マイコン２２の送信ポートからする。以上のシリアル信号の流れで、室外機１と室内機２のシリアル通信が成り立つ。
【００１５】
図２において、ｃａｓｅＡで、間違えて室外機１の室外端子台１ａと室内機２の室内端子台２ａを第２の室内外接続線３１のように据え付け接続した場合、即ち、室外機１の室外端子台１ａの端子Ｎ番と室内機２の端子Ｎ番を接続。次に、室外機１の室外端子台１ａの端子２番と室内機２の室内端子台２ａの端子３番を接続。次に、室外機１の室外端子台１ａの端子３番と室内機２の室内端子台２ａの端子２番を接続。
【００１６】
また、ｃａｓｅＢで間違えて室外機１の室外端子台１ａと室内機２の室内端子台２ａを第３の室内外接続線３２の様に据え付け接続した場合、即ち、室外機１の室外端子台１ａの端子Ｎ番と室内機２の端子３番を接続。次に、室外機１の室外端子台１ａの端子２番と室内機２の室内端子台２Ａの端子Ｎ番を接続。次に、室外機１の室外端子台１ａの端子３番と室内機２の室内端子台２ａの端子２番を接続する場合である。
【００１７】
ｃａｓｅＡの第１の室内外接続線３１で、室外機１、室内機２を据え付け接続して室外機１にＡＣ電源１０を供給すると、室外機１の室外制御用電源１１にＡＣ電源１０が供給され、室外制御用電源１１にて制御用電源が作られ室外機１が室内機２からのシリアル信号待機状態になるが、室内機２、室外機１の室外端子台１ａの端子Ｎ番と室内機２の室内端子台２ａの端子Ｎ番、室外機１の室外端子台１ａの端子２番と室内機２の室内端子台２ａの端子３番、室外機１の室外端子台１ａの端子３番と室内機２の室内端子台２ａの端子２番と接続されているように第２の室内外接続線３１で接続されているため、ＡＣ電源１０が室内機２へ正常に供給されない。よって室内機２の室内端子台２ａの端子Ｎ番と端子２番にＡＣ電源１０が供給されないため、室内機２の室内制御用電源２１は動作できないため室内機２は動作しない（室内マイコン２２が動作できないため、試運転スイッチを押しても室内機２が動作しない）。一方では、室内機２の室内端子台２ａの端子Ｎ番と端子３番間にＡＣ電源１０が供給される。室内端子台２ａの端子３番から供給されるＡＣ電源１０はＰＴＣサーミスタ２４ｄに供給されるが、第２の室内ダイオード２７と第１の室内ダイオード２４ｃへはカソード接続をしてある。そのため、第２の室内ダイオード２７と第１の室内ダイオード２４ｃへは電流が流れないため、室内機２のシリアル通信回路は保護される。
【００１８】
また、室内端子台２ａの端子Ｎ番から供給されるＡＣ電源１０の場合には、室内機２の第２の室内ダイオード２７に供給され、ＰＴＣサーミスタ２４ｄに供給された後に室内端子台２ａの端子３番に供給され、第２室内外接続線３１を通過して室外機１の室外端子台１ａの端子２番へ供給され、ＡＣ電源１０に戻る。
【００１９】
しかし、以上のような経路でＡＣ電源１０が供給された場合、室内機２の内部回路の抵抗負荷が小さいため、過電流が流れて流れ続けて、回路の１部である第２の室内ダイオード２７が焼損してしまう。この焼損を未然に防ぐために、過電流がＰＴＣサーミスタ２４ｄに流れた際に、瞬時にＰＴＣサーミスタ２４ｄの内部抵抗が数Ωから数ＭΩに上昇し過電流を遮断して第２の室内ダイオード２７を保護する。
【００２０】
この状態が、ＡＣ電源１０の供給を止めるまでＰＴＣサーミスタ２４ｄの抵抗値が数ＭΩになるのが継続される。ＡＣ電源１０２の供給を止めた後に、図１に示すように室外機１、室内機２を第１の室内外接続線３で正しく据え付け接続し直し、ＡＣ電源１０を室外機１に供給すれば正常に動作する。
【００２１】
ｃａｓｅＢでの第３の室内外接続線３２で、室外機１と室内機２を据え付け接続して室外機１にＡＣ電源１０を供給すると、室外機１の室外制御用電源１１にＡＣ電源１０が供給され、室外制御用電源１１にて制御用電源が作られ室外機１が室内機２らのシリアル信号待機状態になるが、室内機２は、室外機１の室外端子台１ａの端子Ｎ番と室内機２の室内端子台２ａの端子３番、室外機１の室外端子台１ａの端子２番と室内機２の室内端子台２ａの端子Ｎ番、室外機１の室外端子台１ａの端子３番と室内機２の室内端子台２ａの端子２番と接続されているように、ｃａｓｅＢでの第３の室内外接続線３２で接続されているため、ＡＣ電源１０が室内機２へ正常に供給されない。
【００２２】
よって、室内機２の室内端子台２ａの端子Ｎ番と端子２番にＡＣ電源１０が供給されないため、室内機２の室内制御用電源２１は動作できないため室内機２は動作しない、即ち、室内マイコン２２が動作できないため、試運転スイッチを押しても室内機２は動作しない。一方では、室内機２の室内端子台２ａの端子Ｎ番と端子３番間にＡＣ電源１０が供給される。室内端子台２Ａの端子３番から供給されるＡＣ電源１０はＰＴＣサーミスタ２４ｄに供給されるが、第２の室内ダイオード２７と第１の室内ダイオード２４ｃへはカソード接続をしてある。そのため、第２の室内ダイオード２７と第１の室内ダイオード２４ｃへは電流が流れないため、室内機２のシリアル通信回路は保護される。室内端子台２ａの端子Ｎ番から供給されるＡＣ電源１０は室内機２の第２の室内ダイオード２７に供給され、ＰＴＣサーミスタ２４ｄに供給された後に室内端子台２ａの端子３番に供給され、第３の室内外接続線３２を通過して室外機１の室外端子台１ａの端子Ｎ番へ供給され、ＡＣ電源１０に戻る。
【００２３】
しかし、以上のような経路でＡＣ電源１０が供給された場合、室内機２の内部回路の抵抗負荷が小さいため、過電流が流れて流れ続けて、回路の１部である第２の室内ダイオード２７が焼損してしまう。。この焼損を未然に防ぐために、過電流がＰＴＣサーミスタ２４ｄに流れた際に、瞬時にＰＴＣサーミスタ２４ｄの内部抵抗が数Ωから数ＭΩに上昇し過電流を遮断して第２の室内ダイオード２７を保護する。この状態が、ＡＣ電源１０の供給を止めるまで継続される。ＡＣ電源１０の供給を止めた後に、図１に示すように室外機１と室内機２を第１の室内外接続線３で正しく接続を直しＡＣ電源１０を室外機１に供給すれば正常に動作する。
【００２４】
図３において、ｃａｓｅＣで間違えて室外機１の室外端子台１ａと室内機２の室内端子台２ａを第４の室内外接続線３３のように据え付け接続した場合、即ち、室外機１の室外端子台１ａの端子Ｎ番と室内機２の端子２番を接続。次に、室外機１の室外端子台１ａの端子２番と室内機２の室内端子台２ａの端子３番を接続。次に、室外機１の室外端子台１ａの端子３番と室内機２の室内端子台２ａの端子Ｎ番を接続する。
【００２５】
次に、ｃａｓｅＤで間違えて室外機１の室外端子台１ａと室内機２の室内端子台２ａを第５の室内外接続線３４ように据え付け接続した場合、即ち、室外機１の室外端子台１ａの端子Ｎ番と室内機２の端子３番を接続。室外機１の室外端子台１ａの端子２番と室内機２の室内端子台２ａの端子２番を接続。室外機１の室外端子台１ａの端子３番と室内機２の室内端子台２ａの端子Ｎ番を接続する。第５の室内外接続線３４で、室外機１と室内機２を据え付け接続して室外機１にＡＣ電源１０を供給すると、室外機１の室外制御用電源１１にＡＣ電源１０が供給され、室外制御用電源１１にて制御用電源が作られ室外機１が室内機２からのシリアル信号待機状態になるが、室内機２は、室外機１の室外端子台１ａの端子Ｎ番と室内機２の室内端子台２ａの端子２番、室外機１の室外端子台１ａの端子２番と室内機２の室内端子台２ａの端子３番、室外機１の室外端子台１ａの端子３番と室内機２の室内端子台２ａの端子Ｎ番と接続されているように、第５の室内外接続線３４で接続されているため、ＡＣ電源１０が室内機２へ正常に供給されない。
【００２６】
よって室内機２の室内端子台２ａの端子Ｎ番と端子２番にＡＣ電源１０が供給されないため、室内機２の室内制御用電源２１は動作できないことにより室内機２は動作しない。即ち、室内マイコン２２が動作できないため、試運転スイッチを押しても室内機２は動作しない。一方では、室内機２の室内端子台２ａの端子２番と端子３番間にＡＣ電源１０が供給される。室内端子台２ａの端子３番から供給されるＡＣ電源１０はＰＴＣサーミスタ２４ｄに供給されるが、第２の室内ダイオード２７と第１の室内ダイオード２４ｃへはカソードによる回路接続をしてある。
【００２７】
そのため、第２の室内ダイオード２７と第１の室内ダイオード２４ｃへは電流が流れない。よって、室内機２のシリアル通信回路は保護される。一方では、室内端子台２ａの端子Ｎ番から供給されるＡＣ電源１０の場合には、室内機２の室内半波整流ダイオード２３ｄにＡＣ電源１０が供給され、室内制限電流抵抗２３ｅにＡＣ電源１０が供給される。この室内制限電流抵抗３１８で室内通信送信フォトカプラ２３と室内通信受信フォトカプラ２４とが壊れない程度の電流に制限されるため、ＡＣ電源１０を室内機２の室内端子台２ａの端子２番と端子３番間に間違えて供給しても室内機２のシリアル通信回路は保護される。
【００２８】
このｃａｓｅＤの第５の室内外接続線３４では、室外機１にＡＣ電源１０を供給すると、室外機１の室外制御用電源１１にＡＣ電源１０が供給され、室外制御用電源１１にて制御用電源が作られ室外機１が室内機２からのシリアル信号待機状態になるが、室内機２は、室外機１の室外端子台１ａの端子Ｎ番と室内機２の室内端子台２ａの端子３番、室外機１の室外端子台１ａの端子２番と室内機２の室内端子台２ａの端子２番、室外機１の室外端子台１ａの端子３番と室内機２の室内端子台２ａの端子Ｎ番と接続されているように、第５の室内外接続線３４で接続されているため、ＡＣ電源１０が室内機２へ正常に供給されない。
【００２９】
よって室内機２の室内端子台２ａの端子２番と端子３番にＡＣ電源１０が供給されないため、室内機２の室内制御用電源２１は動作できないことにより室内機２は動作しない。即ち、室内マイコン２２が動作できないため、試運転スイッチを押しても室内機２は動作しない。一方では、室内機２の室内端子台２ａの端子２番と端子３番間にＡＣ電源１０が供給される。室内端子台２ａの端子３番から供給されるＡＣ電源１０はＰＴＣサーミスタ２４ｄに供給されるが、第１の室内ダイオード２４ｃと第２の室内ダイオード２７へはカソードによる回路接続をしてある。そのため、第２の室内ダイオード２７と第１の室内ダイオード２４ｃへは電流が流れない。よって、室内機２のシリアル通信回路は保護される。
【００３０】
室内端子台２ａの端子２番から供給されるＡＣ電源１０の場合には、室内機２の室内半波整流ダイオード２３ｄにＡＣ電源１０が供給され、室内制限電流抵抗２３ｅにＡＣ電源１０が供給される。この室内制限電流抵抗２３ｅで室内通信送信フォトカプラ２３と室内通信受信フォトカプラ２４とが壊れない程度の電流に制限されるため、ＡＣ電源１０を室内機２の室内端子台２ａの端子２番と端子３番間に間違えて供給しても室内機２のシリアル通信回路は保護される。
【００３１】
図４において、ｃａｓｅＥで間違えて室外機１の室外端子台１ａと室内機２室内端子台２ａを第６の室内外接続線３５のように接続、即ち、室外機１の室外端子台１ａの端子Ｎ番と室内機２の室内端子台２ａの端子２番と接続。室外機１の室外端子台１ａの端子２番と室内機２の室内端子台２ａの端子Ｎ番と接続。室外機１の室外端子台１ａの端子３番と室内機２の室内端子台２ａの端子３番を接続して、ＡＣ電源１０を室外機１に供給すると、室外端子台１ａの端子Ｎ番と端子２番よりＡＣ電源１０が出力され、第６の室内外接続線３５を伝わり、室内端子台２ａの端子Ｎ番と端子２番にＡＣ電源１０が供給され、室内機２にＡＣ電源１０が供給される。供給されたＡＣ電源１０より室外機１の室外制御用電源１１で制御用電源が作り出され、室外マイコン１４が動作する。同様に、供給されたＡＣ電源１０より室内機２の室内制御用電源２１で制御用電源が作り出され、室内マイコン２３ａが動作する。室内マイコン２２がシリアル通信開始条件の室内機２が正常運転であり、ＡＣ電源１０の供給から３分以上経過した場合のみ、室内マイコン２２のシリアル信号送信ポートより、室内通信送信トランジスタ２３ａをＯＮ／ＯＦＦさせる信号を室内通信送信トランジスタ２３ａに送信する。送信したＯＮ／ＯＦＦ信号を室内通信送信トランジスタ２３ａが受信してＯＮ／ＯＦＦ動作を行う。室内通信送信トランジスタ２３ａがＯＮ／ＯＦＦする事によって、室内通信送信フォトカプラ２３のフォトダイオード２３ｃがＯＮ／ＯＦＦする。室内通信送信フォトカプラ２３のＯＮ／ＯＦＦがＯＮ／ＯＦＦする事により、室内通信送信フォトカプラ２３のフォトトランジスタ２３ｂがＯＮ／ＯＦＦする。室内通信送信フォトカプラ２３のフォトトランジスタ２３ｂがＯＮ／ＯＦＦすることにより、ＡＣ電源１０から供給された電源を室内機２の室内半波整流ダイオード２３ＤがＡＣ電源１０を半波整流する。半波整流されたＡＣ電源１０が室内制限電流抵抗２３ｅ、即ち、室内制限電流抵抗２３ｅは、室内通信受信フォトカプラ２４と室内通信受信フォトカプラ２４を壊さない程度の電流にするための制限抵抗を通過して、室内ツェナダイオード２８で非絶縁の直流電源になる。直流になった電圧・電流が室内通信送信フォトカプラ２３のＯＮ／ＯＦＦによって、室内と室外の通信信号のシリアル信号になる。室内通信送信フォトカプラ２３からシリアル信号を室内通信受信フォトカプラ２４へ送信し室内通信受信フォトカプラ２４が受信後、第１の室内ダイオード２４ｃへシリアル信号を送信する。第１の室内ダイオード２４ｃが受信した後、ＰＴＣサーミスタ２４ｄへシリアル信号を送信し、ＰＴＣサーミスタ２４ｄが受信した後、室内端子台２ａの端子３番へシリアル信号を送信する。受信したシリアル信号を室内端子台２ａが、室内端子台２ａと室外機１の室外端子台１ａの端子３番に接続してある第６の室内外接続線３５へシリアル信号を送信し、ｃａｓｅＥである第６の室内外接続線３５をシリアル信号が伝搬されて、室外機１の室外端子台１ａの端子３番にシリアル信号が受信される。受信したシリアル信号を室外端子台１ａの端子３番より室外ダイオード１６ｄへ送信され、室外ダイオード１６ｄが受信して、室外制限電流抵抗１６ｃへ送信する。
【００３２】
室外制限電流抵抗１６ｃがシリアル信号を受信した場合、室外制限電流抵抗１６ｃより室外通信受信フォトカプラ１６にシリアル信号を送信し、室外通信受信フォトカプラ１５ａがシリアル信号を受信した場合、一方では、室外通信受信フォトカプラ１６から室外通信送信フォトカプラ１５にシリアル信号を送信する。一方では、室外通信受信フォトカプラ１６のフォトダイオード１６ｂがＯＮ／ＯＦＦすると、室外通信受信フォトカプラ１６のフォトトランジスタ１６ａがＯＮ／ＯＦＦし、室外通信受信フォトカプラ１６のフォトトランジスタ１６ａがＯＮ／ＯＦＦするに伴って、室外マイコン１４の受信ポートにＯＮ／ＯＦＦ信号が入力される。入力されたシリアル信号を室外マイコン１４で解析し、制御信号に置き換えて、制御信号として室外機１を動作させる。動作させた結果を室外マイコン１４の送信ポートから、室外機１からのシリアル信号として室外通信送信トランジスタ１５ａへＯＮ／ＯＦＦ信号を送信する。シリアル信号を受信した室外通信送信トランジスタ１５ａが室外通信送信フォトカプラ１５にシリアル信号を送信して、室外通信送信フォトカプラ１５が受信した場合、室外通信送信フォトカプラ１５のフォトダイオード１５ｃがＯＮ／ＯＦＦする事により、室外通信送信フォトカプラ１５のフォトトランジスタ１５ｂがＯＮ／ＯＦＦする。室外通信送信フォトカプラ１５のフォトトランジスタ１５ｂがＯＮ／ＯＦＦすることによって、室外通信送信フォトカプラ１５が室外通信受信フォトカプラ１６より受信したシリアル信号に、室外通信送信フォトカプラ１５のフォトトランジスタ１５ｂのＯＮ／ＯＦＦによりシリアル信号をＡＣ電源１０の端子Ｎ番側に同調させることが出来る。同調させた、シリアル信号を室外通信送信フォトカプラ１５から室外端子台１ａの端子Ｎ番に送信し、室外端子台１ａの端子Ｎ番がシリアル信号を受信して、室外端子台１ａと室内機２の室内端子台２ａの端子２番に接続してあるｃａｓｅＥの第６の室内外接続線３５に送信し、ｃａｓｅＥの第６室内外接続線３５でシリアル信号が伝搬され、室内端子台２ａの端子２番が受信し、室内半波整流ダイオード２３ｄへ送信される。しかし、室内制限電流抵抗２３ｅにてシリアル通信電流が減衰させられるため、室内通信受信フォトカプラ２４のフォトダイオード２４ａが受信できないため、シリアル通信が成り立たなくなる。この時点で、室内機２の表示モニタに異常表示をして、異常を知らせる。
【００３３】
図５はこの発明の空気調和機の動作を示すフローチャートである。図を説明すると、ステップＳＰ１において室内機・室外機を据え付け接続を行い、ステップＳＰ２において室外機にＡＣ電源を投入する。そして、ステップＳＰ３で室内機の試運転スイッチを押す。ステップＳＰ４において室内機が動作するか確認し、動作すれば、ステップＳＰ５において、ステップＳＰ２のＡＣ電源投入から３分経過後、ステップＳＰ６で室外機と室内機とが正常に動作すれば、据え付けは接続完了である。ステップＳＰ６で正常運転しなかった場合、ステップＳＰ８においてＡＣ電源をＯＦＦさせる。ＡＣ電源をＯＦＦさせたら、ステップＳＰ９で室内機・室外機接続線誤配線をチェックする。そして、誤配線の場合、ステップＳＰ１０において室内機・室外機接続誤配線修正を行い、再びステップＳＰ２に戻ってＡＣ電源を投入を行う。ステップＳＰ９において、室内機・室外機接続線誤配線か確認し、誤配線でない正しい配線であった場合には、ステップＳＰ１１に進むが、室内機・室外機の接続線誤配線ではない別の要因で、正常に空調機が運転しないため、基板等その他の部品チェック修理・交換を行い、再びステップＳＰ２に戻り、ＡＣ電源を投入する。
【００３４】
一方、ステップＳＰ４で室内機動作するか確認し、室内機が動作をしなかった場合は、ステップＳＰ１２において、室内機／室外機接続語配線を判断する。しかし、この時点で、誤配線によりＡＣ電源がシリアル信号回路に投入されるが、ステップＳＰ１３でＰＴＣサーミスタ・室内制限電流抵抗・室内ダイオードによる室内機のシリアル回路の保護ができる。即ステップＳＰ１４でＡＣ電源をＯＦＦしなくとも、誤配線を気が付いた時点でＡＣ電源をＯＦＦすれば良い。ＡＣ電源ＯＦＦ後、ステップＳＰ１５で室内機・室外機接続線修正を行い、再びステップＳＰ２に戻りＡＣ電源を投入し、ステップＳＰ３、ステップＳＰ４で、室内機・室外機が正常に動作すること確認をし、ステップＳＰ５、ステップＳＰ６を経て、ステップＳＰ７でＥＮＤとなる。
【００３５】
以上のように、この発明によれば、室内機と室外機の接続線を誤配線してＡＣ電源を投入しても、シリアル回路を破壊することがないため、誤配線による基板交換が無くなる。よって、無償サービス基板の出荷率低下と、利益率のＵＰと据え付けの際の基板交換が不要になるため、据え付け効率のＵＰになる。また、図１〜４の室内機のシリアル回路を用いれば、万が一ＰＴＣサーミスタの応答性が遅れ、抵抗値が数Ωから数ＭΩになるのが遅れた際も、図２及び図３の第２の室内ダイオー２７のみ負担が掛かるだけであり、室内通信送信フォトカプラ２３と室内通信受信フォトカプラ２４にはまったく影響が無いため、基板を交換しなくとも将来的に安心して使用を続けられる。即ち、室内通信送信フォトカプラ２３と室内通信受信フォトカプラ２４に耐電圧、耐電流以上の電圧・電流が掛かってしまうと、初期は使用できるフォトカプラもあり、それを使用を続けると、将来的に早く壊れて客先でのクレームになってしまう恐れがある。
【００３６】
実施の形態２．
図６は実施の形態２による室外機と室内機の接続線を正常に接続した構成を表すブロック図、図７はｃａｓｅＦとｃａｓｅＧの室外機と室内機の接続線を間違えて接続した要部配線図、図８はｃａｓｅＨの室外機と室内機の接続線を間違えて接続した要部配線図、図９はｃａｓｅＪの室外機と室内機の接続線を間違えて接続した要部配線図である。
【００３７】
実施の形態２を図について説明する。図において、１台の室外機１と、複数台の室内機２とを有している。そして、複数台の室内機２は、室外端子台１ａと室内端子台２ａからなる端子Ｎ番、端子２番、端子３番をそれぞれ３本の第７の室内外接続線３６ａ、３６ｂ、３６ｃを介して室外機１に対して互いに並列接続されている。前記室外機１は、ＡＣ電源１０の端子間に接続される室外制御用電源手段としての室外制御用直流電源１１と、室外用制御手段としての室外用マイコン１４と、室外用マイコン１４の送信ポートに接続されたフォトトランジスタ１５ｂとフォトダイオード１５ａからなる室外送信用フォトカプラ１５と、室外用マイコン１４の受信ポートに接続されたフォトトランジスタ１６ａとフォトダイオード１６ｂとからなる室外受信用フォトカプラ１６と、このフォトダイオード１６ｂと直列に室外制限電流抵抗１６ｃと室外ダイオード１６ｄの直列回路が設けられている。
【００３８】
また、前記室内機２は、室外端子台１ａと室内端子台２ａからなる端子Ｎ番、端子２番、端子３番をそれぞれ３本の第７の室内外接続線３６ａ、３６ｂ、３６ｃを介して接続された室内制御用電源手段としての制御用直流電源２１と、室内用制御手段としての室内用マイコン２２と、室内用マイコン２２の送信ポートに室内送信用トランジスタ２３ａを介して接続されたフォトトランジスタ２３ｂとフォトダイオード２３ｃからなる室内送信用フォトカプラ２３と、室内用マイコン２２に接続されのフォトトランジスタ２４ａとフォトダイオード２４ｂからなる室内受信用フォトカプラ２４と、室内送信用スォトカプラ２３のフォトトランジスタ２３ｂのコレクタ端子に直列接続された、室内半波整流ダイオード２３ｄと室内制限電流抵抗２３ｅの直列回路と、室内受信用フォトカプラ２４のフォトトランジスタ２４ａのコレクタ端子に直列接続された、第１の室内ダイオード２４ｃとヒューズ２９の直列回路と、前記室内送信用フォトカプラ２３と室内受信用フォトカプラ２４とに並列接続された室内ツェナー電圧安定用電解コンデンサ２６と第２の室内ダイオード２７の直列回路と、この室内ツェナー電圧安定用電解コンデンサ２６と並列に接続された室内ツェナーダイオード２８とを有している。
【００３９】
次に、実施の形態２における通信線の動作の詳細を説明する。図６において、室外機１の室外端子台１ａと室内機２の室内端子台２ａを、第７の室内外接続線３６で正しく据え付け接続し、ＡＣ電源１０を室外機１に供給すると、室外端子台１ａの端子Ｎ番と端子２番よりＡＣ電源１０が出力され、第１の室内外接続線３ａ、３ｂを伝わり、室内端子台２ａの端子Ｎ番と端子２番にＡＣ電源１０が供給され、室内機２にＡＣ電源１０が供給される。供給されたＡＣ電源１０より室外機１の室外制御用電源１１で制御用電源が作り出され、室外マイコン１４が動作する。同様に、供給されたＡＣ電源１０よりの室内機２の室内制御用電源２１で制御用電源が作り出され、室内マイコン２２が動作する。室内マイコン２２がシリアル通信開始条件、即ち、室内機２が正常運転であり、ＡＣ電源１０の供給から３分以上経過した場合のみ、室内マイコン６２２のシリアル信号送信ポートより、室内通信送信トランジスタ２３ａをＯＮ／ＯＦＦさせる信号を室内通信送信トランジスタ２３ａに送信する。送信したＯＮ／ＯＦＦ信号を室内通信送信トランジスタ２３ａが受信してＯＮ／ＯＦＦ動作を行う。室内通信送信トランジスタ２３ａがＯＮ／ＯＦＦする事によって、室内通信送信フォトカプラ２３のフォトダイオード２３ｃがＯＮ／ＯＦＦする。室内通信送信フォトカプラ２３のフォトダイオード２３ｃがＯＮ／ＯＦＦする事により、室内通信送信フォトカプラ２３のフォトトランジスタ２３ｂがＯＮ／ＯＦＦする。室内通信送信フォトカプラ２３のフォトトランジスタ２３ｂがＯＮ／ＯＦＦすることにより、ＡＣ電源１０から供給された電源を室内機２の室内半波整流ダイオード２３ｄがＡＣ電源１０を半波整流する。半波整流されたＡＣ電源１０が室内通信送信フォトカプラ２３と室内通信受信フォトカプラ２４をＯＮ／ＯＦＦし壊さない程度の電流にするための制限抵抗である室内制限電流抵抗２３ｅを通過して、室内ツェナーダイオード２８で非絶縁の直流電源になる。直流になった電圧・電流が室内通信送信フォトカプラ２３のＯＮ／ＯＦＦによって、室内と室外の通信信号のシリアル信号になる。室内通信送信フォトカプラ２３からシリアル信号を室内通信受信フォトカプラ２４へ送信し室内通信受信フォトカプラ２４が受信後、第１の室内ダイオード２４ｃへシリアル信号を送信する。第１の室内ダイオード２４ｃが受信した後、ヒューズ２９へシリアル信号を送信し、ヒューズ２９が受信した後、室内端子台２ａの端子３番へシリアル信号を送信する。受信したシリアル信号を室内端子台２ａが、室内端子台２ａと室外機１の室外端子台１ａの端子３番に接続してある。
【００４０】
第７の室内外接続線３６へシリアル信号を送信し、第７の室内外接続線３６をシリアル信号が伝搬されて、室外機１の室外端子台１ａの端子３番にシリアル信号が受信される。受信したシリアル信号を室外端子台１ａの端子３番より室外ダイオード１６ｄへ送信され、室外ダイオード１６ｄが受信して、室外制限電流抵抗１６ｃへ送信する。室外制限電流抵抗１６ｃがシリアル信号を受信した場合、室外制限電流抵抗１６ｃより室外通信受信フォトカプラ１６にシリアル信号を送信し、室外通信受信フォトカプラ１６がシリアル信号を受信した場合、一方では、室外通信受信フォトカプラ１６から室外通信送信フォトカプラ１５にシリアル信号を送信する。一方では、室外通信受信フォトカプラ１６のフォトダイオード１６ｂがＯＮ／ＯＦＦすると、室外通信受信フォトカプラ１６のフォトトランジスタ１６ａがＯＮ／ＯＦＦし、室外通信受信フォトカプラ１６のフォトトランジスタ１６ａがＯＮ／ＯＦＦするに伴って、室外マイコン１４の受信ポートにＯＮ／ＯＦＦ信号が入力される。入力されたシリアル信号を室外マイコン１４で解析し、制御信号に置き換えて、制御信号として室外機１を動作させる。動作させた結果を室外マイコン１４の送信ポートから、室外機１からのシリアル信号として室外通信送信トランジスタ１５ａへＯＮ／ＯＦＦ信号を送信する。シリアル信号を受信した室外通信送信トランジスタ１５ａが室外通信送信フォトカプラ１５にシリアル信号を送信して、室外通信送信フォトカプラ１５が受信した場合、室外通信送信フォトカプラ１５のフォトダイオード１５ｃがＯＮ／ＯＦＦする事により、室外通信送信フォトカプラ１５のフォトトランジスタ１５ｂがＯＮ／ＯＦＦする。室外通信送信フォトカプラ１５のフォトトランジスタ１５ｂがＯＮ／ＯＦＦすることによって、室外通信送信フォトカプラ１５が室外通信受信フォトカプラ１６より受信したシリアル信号に、室外通信送信フォトカプラ１５のフォトトランジスタ１５ｂのＯＮ／ＯＦＦによりシリアル信号をＡＣ電源１０の端子Ｎ番側に同調させることが出来る。同調させた、シリアル信号を室外通信送信フォトカプラ１５から室外端子台１ａの端子Ｎ番に送信し、室外端子台１ａの端子Ｎ番がシリアル信号を受信して、室外端子台１ａと室内機２の室内端子台２ａの端子Ｎ番に接続してある第７の室内外接続線３６に送信し、第７の室内外接続線３６でシリアル信号が伝搬され、室内端子台２ａの端子Ｎ番が受信し、室内ツェナダイオード２８へ送信される。室内ツェナダイオード２８がシリアル信号を受信して、室内通信送信フォトカプラ２３に送信する。即ち、室内ツェナー電圧安定用電解コンデンサ２６のマイナス側（−側）がシリアル通信回路の基準グランドになり、室外機１からのシリアル信号のＯＮ／ＯＦＦにより室内ツェナー電圧安定用電解コンデンサ２６の基準グランドがＯＮ／ＯＦＦすることにより室内通信送信フォトカプラ２３のフォトトランジスタ２３ｂがＯＮ／ＯＦＦする。
【００４１】
室内通信送信フォトカプラ２３がシリアル信号を受信した後に、室内通信受信フォトカプラ２４にシリアル信号を送信して、室内通信受信フォトカプラ２４が受信する。受信したシリアル信号によって室内通信受信フォトカプラ２４のフォトダイオード２４ａがＯＮ／ＯＦＦを行うことにより、室内通信受信フォトカプラ２４のフォトダイオード２４ａがＯＮ／ＯＦＦする。室内通信受信フォトカプラ２４のフォトダイオード２４ａがＯＮ／ＯＦＦすることにより、室内マイコン２２の受信ポートがＨｉ／Ｌｏになるため、室内マイコン２２がシリアル信号を受信して解析を行い、新たなシリアル信号を室内マイコン２２の送信ポートからする。以上のシリアル信号の流れで、室外機１と室内機２のシリアル通信が成り立つ。
【００４２】
図７において、ｃａｓｅＦで間違えて室外機１の室外端子台１ａと室内機２の室内端子台２ａを第８の室内外接続線３７のように据え付け接続した場合、即ち、室外機１の室外端子台１ａの端子Ｎ番と室内機２の端子Ｎ番を接続。室外機１の室外端子台１ａの端子２番と室内機２の室内端子台２ａの端子３番を接続。室外機１の室外端子台１ａの端子３番と室内機２の室内端子台２ａの端子２番を接続。
【００４３】
また、ｃａｓｅＧで間違えて室外機１の室外端子台１ａと室内機２の室内端子台２ａを第９の室内外接続線３８の様に据え付け接続した場合、即ち、室外機１の室外端子台１ａの端子Ｎ番と室内機２の端子３番を接続。室外機１の室外端子台１ａの端子２番と室内機２の室内端子台２ａの端子Ｎ番を接続。室外機１の室外端子台１ａの端子３番と室内機２の室内端子台２ａの端子２番を接続である。
【００４４】
ｃａｓｅＦで第８の室内外接続線３７で室外機１と室内機２を据え付け接続して室外機１にＡＣ電源１０を供給すると、室外機１の室外制御用電源１１にＡＣ電源１０が供給され、室外制御用電源１１にて制御用電源が作られ室外機１が室内機２からのシリアル信号待機状態になるが、室内機２は、室外機１の室外端子台１ａの端子Ｎ番と室内機２の室内端子台２ａの端子Ｎ番、室外機１の室外端子台１ａの端子２番と室内２の室内端子台２ａの端子３番、室外機１の室外端子台１ａの端子３番と室内機２の室内端子台２ａの端子２番と接続されているため、ＡＣ電源１０が室内機２へ正常に供給されない。よって室内機２の室内端子台２ａの端子Ｎ番と端子２番にＡＣ電源１０が供給されないため、室内機２の室内制御用電源２１は動作できないため、試運転スイッチを押しても室内機２は動作しない。一方では、室内機２の室内端子台２ａの端子Ｎ番と端子３番間にＡＣ電源１０が供給される。室内端子台２ａの端子３番から供給されるＡＣ電源１０はヒューズ２９に供給されるが、第２の室内ダイオード２７と第１の室内ダイオード２４ｃへはカソード接続をしてある。そのため、第２の室内ダイオード２７と第１の室内ダイオード２４ｃへは電流が流れないため、室内機２のシリアル通信回路は保護される。
【００４５】
また、室内端子台２ａの端子Ｎ番から供給されるＡＣ電源１０の場合には、室内機２の第２の室内ダイオード２７に供給され、ヒューズ２９に供給された後に室内端子台２ａの端子３番に供給され、第８の室内外接続線３７を通過して室外機１の室外端子台１ａの端子２番へ供給され、ＡＣ電源１０に戻る。しかし、以上のような経路でＡＣ電源１０が供給された場合、室内機２の内部回路の抵抗負荷が小さいため、過電流が流れて流れ続けて、回路の１部である第２の室内ダイオード２７が焼損してしまう。この焼損を未然に防ぐために、過電流がヒューズ２９に流れた際に、瞬時にヒューズ２９が切れて、シリアル回路を保護する。
【００４６】
ｃａｓｅＧの第９の室内外接続線３８で室外機１と室内機２を据え付け接続して室外機１にＡＣ電源１０を供給すると、室外機１の室外制御用電源１１にＡＣ電源１０が供給され、室外制御用電源１１にて制御用電源が作られ室外機１が室内機２からのシリアル信号待機状態になるが、室内機２は、室外機１の室外端子台１ａの端子Ｎ番と室内機２の室内端子台２ａの端子３番、室外機１の室外端子台１ａの端子２番と室内機２の室内端子台２ａの端子Ｎ番、室外機１の室外端子台１Ａの端子３番と室内機２の室内端子台２ａの端子２番と接続されているように、第９の室内外接続線３８で接続されているため、ＡＣ電源１０が室内機２へ正常に供給されない。よって室内機２の室内端子台２ａの端子Ｎ番と端子２番にＡＣ電源１０が供給されないため、室内機２の室内制御用電源２１は動作できず、室内マイコン２２が動作できないため、試運転スイッチを押しても室内機２は動作しない。
【００４７】
一方では、室内機２の室内端子台２ａの端子Ｎ番と端子３番間にＡＣ電源１０が供給される。室内端子台２ａの端子３番から供給されるＡＣ電源１０はヒューズ２９に供給されるが、第２の室内ダイオード２７と第１の室内ダイオード２４ｃへはカソード接続をしてある。そのため、第２の室内ダイオード２７と第１の室内ダイオード２４ｃへは電流が流れないため、室内機２のシリアル通信回路は保護される。室内端子台２ａの端子Ｎ番から供給されるＡＣ電源１０は室内機２の第２の室内ダイオード２７に供給され、ヒューズ２９に供給された後に室内端子台２ａの端子３番に供給され、第９の室内外接続線３８を通過しての室外機１の室外端子台１ａの端子Ｎ番へ供給され、ＡＣ電源１０に戻る。しかし、以上のような経路でＡＣ電源１０が供給された場合、室内機２の内部回路の抵抗負荷が小さいため、過電流が流れて流れ続けて、回路の１部である第２の室内ダイオード２７が焼損してしまう。この焼損を未然に防ぐために、過電流がヒューズ２９に流れた際に、瞬時にヒューズ２９が切れて、シリアル回路の保護を行う。
【００４８】
図８において、ｃａｓｅＨで間違えて室外機１の室外端子台１ａと室内機２の室内端子台２ａを第１０の室内外接続線３９のように据え付け接続した場合、即ち、室外機１の室外端子台１ａの端子Ｎ番と室内機２の端子２番を接続。室外機１の室外端子台１ａの端子２番と室内機２の室内端子台２ａの端子３番を接続。室外機１の室外端子台１ａの端子３番と室内機２の室内端子台２ａの端子Ｎ番を接続。
【００４９】
また、ｃａｓｅＪで、間違えて室外機１の室外端子台１ａと室内機２の室内端子台２ａを第１１の室内外接続線３１０のように据え付け接続した場合、即ち、室外機１の室外端子台１ａの端子Ｎ番と室内機２の端子３番を接続。室外機１の室外端子台１ａの端子２番と室内機２の室内端子台２ａの端子２番を接続。室外機１の室外端子台１ａの端子３番と室内機２の室内端子台２ａの端子Ｎ番を接続である。
【００５０】
ｃａｓｅＨで、第１０室内外接続線３９で、室外機１と室内機２を据え付け接続して室外機１にＡＣ電源１０を供給すると、室外機１の室外制御用電源１１にＡＣ電源１０が供給され、室外制御用電源１１にて制御用電源が作られ室外機１が室内機２からのシリアル信号待機状態になるが、室内機２は、室外機１の室外端子台１ａの端子Ｎ番と室内機２の室内端子台２ａの端子２番、室外機１の室外端子台１ａの端子２番と室内機２の室内端子台２ａの端子３番、室外機１の室外端子台１ａの端子３番と室内機２の室内端子台２ａの端子Ｎ番と接続されているように、ｃａｓｅＨの第１０室内外接続線３９で接続されているため、ＡＣ電源１０が室内機２へ正常に供給されない。よって室内機２の室内端子台２ａの端子Ｎ番と端子２番にＡＣ電源１０が供給されないため、室内機２の室内制御用電源２１は、室内マイコン２２が動作できないため、試運転スイッチを押しても室内機２は動作し動作できない。
【００５１】
一方では、室内機２の室内端子台２ａの端子２番と端子３番間にＡＣ電源１０が供給される。室内端子台２ａの端子３番から供給されるＡＣ電源１０はヒューズ２９に供給されるが、第２の室内ダイオード２７と第１の室内ダイオード２４ｃへはカソードによる回路接続をしてある。そのため、第２の室内ダイオード２７と第１の室内ダイオード２４ｃへは電流が流れない。よって、室内機２のシリアル通信回路は保護される。一方では、室内端子台２ａの端子Ｎ番から供給されるＡＣ電源１０の場合には、室内機２の室内半波整流ダイオード２３ｄにＡＣ電源１０が供給され、室内制限電流抵抗２３ｅにＡＣ電源１０が供給される。この室内制限電流抵抗２３ｅで室内通信送信フォトカプラ２３と室内通信受信フォトカプラ２４とが壊れない程度の電流に制限されるため、ＡＣ電源１０を室内機２の室内端子台２ａの端子２番と端子３番間に間違えて供給しても室内機２のシリアル通信回路は保護される。
【００５２】
ｃａｓｅＪの第１１室内外接続線３１０では、室外機１にＡＣ電源１０を供給すると、室外機１の室外制御用電源１１にＡＣ電源１０が供給され、室外制御用電源１１にて室外制御用電源１１が作られ室外機１が室内機２からのシリアル信号待機状態になるが、室内機２は、室外機１の室外端子台１ａの端子Ｎ番と室内機２の室内端子台２ａの端子３番、室外機１の室外端子台１ａ端子２番との室内機２の室内端子台２ａの端子２番、室外機１の室外端子台１ａの端子３番と室内機２の室内端子台２ａの端子Ｎ番と接続されているように、ｃａｓｅＪの第１１の室内外接続線３１０で接続されているため、ＡＣ電源１０が室内機２へ正常に供給されない。よって室内機２の室内端子台２ａの端子２番と端子３番にＡＣ電源１０が供給されないため、室内機２の室内制御用電源２１は室内マイコン２２が動作できないため、試運転スイッチを押しても室内機２は動作しない。一方では、室内機２の室内端子台２ａの端子２番と端子３番間にＡＣ電源１０が供給される。室内端子台２ａの端子３番から供給されるＡＣ電源１０はヒューズ２９に供給されるが、第２の室内ダイオード２７と第１の室内ダイオード２４ｃへはカソードによる回路接続をしてある。そのため、第２の室内ダイオード２７と第１の室内ダイオード２４ｃへは電流が流れない。よって、室内機２のシリアル通信回路は保護される。室内端子台２ａの端子２番から供給されるＡＣ電源１０の場合には、室内機２の室内半波整流ダイオード２３ｄにＡＣ電源１０が供給され、室内制限電流抵抗２３ｅにＡＣ電源１０が供給される。この室内制限電流抵抗２３ｅで室内通信送信フォトカプラ２３と室内通信受信フォトカプラ２４とが壊れない程度の電流に制限されるため、ＡＣ電源１０を室内機２の室内端子台２ａの端子２番と端子３番間に間違えて供給しても室内機２のシリアル通信回路は保護される。
【００５３】
図９において、ｃａｓｅＫで間違えて室外機１の室外端子台１ａと室内機２の室内端子台２ａを第１２室内外接続線３１１のように接続、即ち、室外機１の室外端子台１ａの端子Ｎ番と室内機２の室内端子台２ａの端子２番と接続。室外機１の室外端子台１ａの端子２番と室内機２の室内端子台２ａの端子Ｎ番と接続。室外機１の室外端子台１ａの端子３番と室内機２の室内端子台２ａの端子３番を接続。そして、ＡＣ電源１０を室外機１に供給すると、室外端子台１ａの端子Ｎ番と端子２番よりＡＣ電源１０が出力され、ｃａｓｅＫの第１２室内外接続線３１１を伝わり、室内端子台２ａの端子Ｎ番と端子２番にＡＣ電源１０が供給され、室内機９１２にＡＣ電源９０２が供給される。供給されたＡＣ電源１０より室外機１の室外制御用電源１１で制御用電源が作り出され、室外マイコン１４が動作する。同様に、供給されたＡＣ電源１０より室内機２の室内制御用電源２１で制御用電源が作り出され、室内マイコン２２が動作する。室内マイコン２２がシリアル通信開始条件、即ち、室内機２が正常運転であり、ＡＣ電源１０の供給から３分以上経過した場合のみ、室内マイコン２２のシリアル信号送信ポートより、室内通信送信トランジスタ２３ａをＯＮ／ＯＦＦさせる信号を室内通信送信トランジスタ２３ａに送信する。送信したＯＮ／ＯＦＦ信号を室内通信送信トランジスタ２３ａが受信してＯＮ／ＯＦＦ動作を行う。室内通信送信トランジスタ２３ａがＯＮ／ＯＦＦする事によって、室内通信送信フォトカプラ２３のフォトダイオード２３ｃがＯＮ／ＯＦＦする。室内通信送信フォトカプラ２３のフォトダイオード２３ｃがＯＮ／ＯＦＦする事により、室内通信送信フォトカプラ２３のフォトトランジスタ２３ｂがＯＮ／ＯＦＦする。室内通信送信フォトカプラ２３のフォトトランジスタ２３ｂがＯＮ／ＯＦＦすることにより、ＡＣ電源１０から供給された電源を室内機２の室内半端整流イオード２３ｄがＡＣ電源１０を半端整流する。
【００５４】
半端整流されたＡＣ電源１０が、室内通信受信フォトカプラ２４と室内通信受信フォトカプラ２４を壊さない程度の電流にするための制限抵抗である室内制限電流抵抗２３ｅを通過して、室内ツェナダイオード２８で非絶縁の直流電源になる。直流になった電圧・電流が室内通信送信フォトカプラ２３のＯＮ／ＯＦＦによって、室内と室外の通信信号のシリアル信号になる。室内通信送信フォトカプラ２３からシリアル信号を室内通信受信フォトカプラ２４へ送信し室内通信受信フォトカプラ２４が受信後、第１の室内ダイオード２４ｃへシリアル信号を送信する。第１の室内ダイオード２４ｃが受信した後、ヒューズ２９へシリアル信号を送信し、ヒューズ２９が受信した後、室内端子台２ａの端子３番へシリアル信号を送信する。受信したシリアル信号を室内端子台２ａが、室内端子台２ａと室外機１の室外端子台１ａの端子３番に接続してあるｃａｓｅＫの第１２室内外接続線３１１へシリアル信号を送信し、第１２の室内外接続線３１１をシリアル信号が伝搬されて、室外機１の室外端子台１ａの端子３番にシリアル信号が受信される。受信したシリアル信号を室外端子台１ａの端子３番より室外ダイオード１６ｄへ送信され、室外ダイオード１６ｄが受信して、室外制限電流抵抗１６ｃへ送信する。室外制限電流抵抗１６ｃがシリアル信号を受信した場合、室外制限電流抵抗１６ｃより室外通信受信フォトカプラ１６にシリアル信号を送信し、室外通信受信フォトカプ１６がシリアル信号を受信した場合、一方では、室外通信受信フォトカプラ１６から室外通信送信フォトカプラ１５にシリアル信号を送信する。一方では、室外通信受信フォトカプラ１６のフォトダイオード１６ｂがＯＮ／ＯＦＦすると、室外通信受信フォトカプラ１６のフォトトランジスタ１６ａがＯＮ／ＯＦＦし、室外通信受信フォトカプラ１６のフォトトランジスタ１６ａがＯＮ／ＯＦＦするに伴って、室外マイコン１４の受信ポートにＯＮ／ＯＦＦ信号が入力される。入力されたシリアル信号を室外マイコン１４で解析し、制御信号に置き換えて、制御信号として室外機１を動作させる。
【００５５】
動作させた結果を室外マイコン１４の送信ポートから、室外機１からのシリアル信号として室外通信送信トランジスタ１５ａへＯＮ／ＯＦＦ信号を送信する。シリアル信号を受信した室外通信送信トランジスタ１５ａが室外通信送信フォトカプラ１５にシリアル信号を送信して、室外通信送信フォトカプラ１５が受信した場合、室外通信送信フォトカプラ１５のフォトダイオード１５ｂがＯＮ／ＯＦＦする事により、室外通信送信フォトカプラ１５のフォトトランジスタ１５ｃがＯＮ／ＯＦＦする。室外通信送信フォトカプラ１５のフォトトランジスタ１５ｃがＯＮ／ＯＦＦすることによって、室外通信送信フォトカプラ１５が室外通信受信フォトカプラ１６より受信したシリアル信号に、室外通信送信フォトカプラ１５のフォトトランジスタ１５ｂのＯＮ／ＯＦＦによりシリアル信号をＡＣ電源１０の端子Ｎ番側に同調させることが出来る。同調させた、シリアル信号を室外通信送信フォトカプラ１５から室外端子台１ａの端子Ｎ番に送信し、室外端子台１ａの端子Ｎ番がシリアル信号を受信して、室外端子台１ａと室内機２の室内端子台２ａの端子２番に接続してあるｃａｓｅＫの第１２室内外接続線３１１に送信し、第１２室内外接続線３１１でシリアル信号が伝搬され、室内端子台２ａの端子２番が受信し、室内半波整流ダイオード２３ｄへ送信される。しかし、室内制限電流抵抗２３ｅにてシリアル通信電流が減衰させられるため、室内通信受信フォトカプラ２４のフォトダイオード２４ａが受信できないため、シリアル通信が成り立たなくなる。この時点で、室内機２の表示モニタに異常表示をして、異常を知らせる。
【００５６】
【発明の効果】
この発明の空気調和機の通信回路保護装置は、１台の室外機と、複数台の室内機とを有しているセパレート型空気調和機において、前記室内機内の室内マイコンに並列に設けた  室内半波整流ダイオードと室内制限電流抵抗の直列回路の接続した室内通信送信フォトカプラ及び第１の室内ダイオードとＰＴＣサーミスタの直列回路の接続した室内通信受信フォトカプラと、前記室内通信送信フォトカプラと室内通信受信フォトカプラとに並列接続された室内ツェナー電圧安定用電解コンデンサーと第２の室内ダイオードの直列回路とを設けた構成としたから、空調機の室内機と室外機の接続線を誤配線してＡＣ電源を投入しても、シリアル回路を破壊することがないため、基板交換（誤配線による）が無くなると共に、無償サービス基板の出荷率低下と、利益率のＵＰと据付効率ＵＰになり、かつ万一ＰＴＣサーミスタの応答性が遅れ、抵抗値が数Ωから数ＭΩになるのが遅れた際も、室内ダイオードのみ負担が掛かるだけである、空気調和機の基板を交換しなくとも将来的に安心して使用を続けられる効果を有する。
【００５７】
また、この発明の空気調和機の通信回路保護装置は、１台の室外機と、複数台の室内機とを有しているセパレート型空気調和機において、前記室内機内の室内マイコンに並列に設け、かつ室内半波整流ダイオードと室内制限電流抵抗の直列回路の接続した室内通信送信フォトカプラ及び第１の室内ダイオードと直列にヒューズを設けた室内通信受信フォトカプラと、前記室内通信送信フォトカプラとと室内通信受信フォトカプラとに並列接続された室内ツェナー電圧安定用電解コンデンサーと第２の室内ダイオードの直列回路とを設けた構成としたから、室内機と室外機の接続線を誤配線してＡＣ電源を投入した場合、回路を壊す事無くヒューズ切れのみの交換だけで保護できるため、初期サービス基板出荷の低下につながり、サービス設定の安価につながる効果を有する。
【図面の簡単な説明】
【図１】この発明の実施の形態１による空気調和機を示す制御ブロック図である。
【図２】この発明の実施の形態１によるｃａｓｅＡおよびｃａｓｅＢでの空気調和機の誤配線を示す制御ブロック図である。
【図３】この発明の実施の形態１によるｃａｓｅＣおよびｃａｓｅＤでの空気調和機の誤配線を示す制御ブロック図である。
【図４】この発明の実施の形態１によるｃａｓｅＥでの空気調和機の誤配線を示す制御ブロック図である。
【図５】この発明の実施の形態１による空気調和機を示す制御のフフローチャート図である。
【図６】この発明の実施の形態２による空気調和機を示す制御ブロック図である。
【図７】この発明の実施の形態２によるｃａｓｅＦおよびｃａｓｅＧでの空気調和機の誤配線を示す制御ブロック図である。
【図８】この発明の実施の形態２によるｃａｓｅＨおよびｃａｓｅＪでの空気調和機の誤配線を示す制御ブロック図である。
【図９】この発明の実施の形態２によるｃａｓｅＫでの空気調和機の誤配線を示す制御ブロック図である。
【図１０】従来の空気調和機の通信装置回路を示す制御ブロック図である。
【図１１】従来の空気調和機の通信装置回路を示す制御フローチャート図である。
【図１２】空気調和機の通信装置回路の誤配線判定処理を示す制御フローチャート図である。
【符号の説明】
１  室外機、２  室内機、３  第１の室内外接続配線、１０  ＡＣ電源、１１室外制御用電源、１４  室外用マイコン、１５室外通信送信用フォトカプラ、１６  室外通信受信用フォトカプラ、２１  室内制御用電源、２２  室内用マイコン、２３  室内通信送信用フォトカプラ、２４  室内通信受信用フォトカプラ、２４ｃ  第１の室内ダイオード、２４ｄ  ＰＣＴサーミスタ、２７  第２の室内ダイオード、２９  ヒューズ。
【図１】
0003598945.tif 000002
【図２】
0003598945.tif 000003
【図３】
0003598945.tif 000004
【図４】
0003598945.tif 000005
【図５】
0003598945.tif 000006
【図６】
0003598945.tif 000007
【図７】
0003598945.tif 000008
【図８】
0003598945.tif 000009
【図９】
0003598945.tif 000010
【図１０】
0003598945.tif 000011
【図１１】
0003598945.tif 000012
【図１２】
0003598945.tif 000013